(57)【要約】【課題】スピーカの位置をユーザの耳の位置に容易に合わせることができる電話機を提供すること。【解決手段】携帯電話機１では、ユーザによる受話器２の使用時にインカメラ４によって撮影されるユーザの画像である使用時画像と、画像データベース１８によって記憶された適正位置画像との比較結果に基づいて、指示制御部１６によって、ユーザに対して耳に対する受話器２の位置を補正させる旨の指示が行われる。ここで、ずれ演算部１５における使用時画像と適正位置画像との比較により、受話器２の使用時にスピーカ６の位置がユーザの耳に対面する位置からどの程度ずれているのかを推定することができる。指示制御部１６による位置補正指示は、この比較結果に基づいて行われるため、ユーザに対してスピーカ６の位置のずれを小さくするような指示が可能となる。よって、スピーカ６の位置をユーザの耳の位置に容易に合わせることができる。【選択図】図１
2011205256.tif 000002
【特許請求の範囲】
【請求項１】
ユーザの耳に当てられる受話器と、前記受話器に搭載され、前記受話器の一方の側に向けて音声を出力するスピーカと、を備える電話機であって、
前記受話器の前記一方の側に向けられたカメラと、
前記スピーカが前記耳に対面する状態での前記ユーザの画像である適正位置画像に応じた適正位置情報を記憶する記憶部と、
前記ユーザによる前記受話器の使用時に前記カメラで撮影される前記ユーザの画像である使用時画像に応じた使用時位置情報と、前記記憶部によって記憶された前記適正位置情報とを比較する比較手段と、
前記比較手段による比較結果に基づいて、前記ユーザに対して前記耳に対する前記受話器の位置を補正させる旨の指示を行う指示手段と、
を備えることを特徴とする電話機。
【請求項２】
前記比較手段は、前記適正位置画像に含まれる前記ユーザの特徴部と、前記使用時画像に含まれる前記特徴部との位置の差分を演算し、
前記指示手段は、前記比較手段によって演算された前記差分に基づいて、前記差分が小さくなるように前記指示を行うことを特徴とする請求項１記載の電話機。
【請求項３】
前記比較手段は、前記ユーザのアゴ、血管、ヒゲ、肌の色のうち少なくとも１つを前記特徴部として、前記差分の演算を行うことを特徴とする請求項１又は２記載の電話機。
【請求項４】
前記指示手段は、前記受話器の位置を補正させる旨を示す位置補正メッセージを前記スピーカに出力させることにより、前記指示を行うことを特徴とする請求項１〜３のいずれか一項記載の電話機。
【請求項５】
前記ユーザの音声を入力するマイクと前記スピーカとにおける音声の入出力を検出する音声入出力検出手段を備え、
前記指示手段は、前記音声入出力検出手段によって前記音声の非入出力状態が検出された場合に、前記スピーカに前記位置補正メッセージを出力させることを特徴とする請求項４記載の電話機。
【請求項６】
前記受話器を振動させる振動部を備え、
前記指示手段は、前記受話器の位置を補正させる旨を示す振動パターンで前記振動部に前記受話器を振動させることにより、前記指示を行うことを特徴とする請求項１〜５のいずれか一項記載の電話機。
【請求項７】
前記受話器の加速度を検出し、検出した前記加速度に基づいて前記ユーザの前記耳は右耳であるか左耳であるかを検出する左右検出手段を備え、
前記記憶部に記憶される前記適正位置情報は、前記スピーカが前記右耳に対面する状態での前記ユーザの画像である右側適正位置画像に応じた右側適正位置情報と、前記スピーカが前記左耳に対面する状態での前記ユーザの画像である左側適正位置画像に応じた左側適正位置情報と、を含み、
前記比較手段は、前記ユーザによる前記受話器の使用時に前記左右検出手段によって検出された検出結果に応じた前記適正位置情報を用いて、前記使用時位置情報との比較を行うことを特徴とする請求項１〜６のいずれか一項記載の電話機。
【請求項８】
前記適正位置画像は、前記スピーカが前記耳に対面する状態で前記カメラによって撮影された前記ユーザの画像であることを特徴とする請求項１〜７のいずれか一項記載の電話機。
【請求項９】
ユーザの耳に当てられる受話器と、前記受話器に搭載され、前記受話器の一方の側に向けて音声を出力するスピーカと、前記受話器の前記一方の側に向けられたカメラと、前記スピーカが前記耳に対面する状態での前記ユーザの画像である適正位置画像に応じた適正位置情報を記憶する記憶部と、を備える電話機の位置補正方法であって、
前記ユーザによる前記受話器の使用時に前記カメラで撮影される前記ユーザの画像である使用時画像に応じた使用時位置情報と、前記記憶部によって記憶された前記適正位置情報とを比較する比較ステップと、
前記比較ステップにおける比較結果に基づいて、前記ユーザに対して前記耳に対する前記受話器の位置を補正させる旨の指示を行う指示ステップと、
を含むことを特徴とする電話機の位置補正方法。
【発明の詳細な説明】
【技術分野】
【０００１】
本発明は、電話機及び電話機の位置補正方法に関する。
【背景技術】
【０００２】
従来、下記特許文献１に記載されるように、ユーザの口及び耳の位置に合わせて、マイク及びスピーカの位置を最適な位置に設定できる携帯電話装置が知られている。この携帯電話装置は、マイクが設けられた本体と、スピーカが設けられ、本体に対してヒンジ部を介して回動可能に連結された筺体とを備えている。そして、筺体を回動させることにより、本体と筺体とのなす角を任意に設定可能とし、マイク及びスピーカの位置をユーザの口及び耳の位置に合わせられるようにしている。
【先行技術文献】
【特許文献】
【０００３】
【特許文献１】特開２００６−５５６４号公報
【発明の概要】
【発明が解決しようとする課題】
【０００４】
上記の携帯電話装置では、ユーザが通話等を行う際、スピーカはユーザの視界から外れるため、ユーザは、視覚以外の感覚に頼ってスピーカの位置を耳の位置に合わすことになる。しかしながら、近年の電話機の小型化に伴い、スピーカも小さくなる傾向にある。例えば、近年の電話機におけるスピーカ穴の大きさは、数ｍｍ程度となっている。そのため、電話機のユーザにとって、スピーカの位置を耳の位置に合わせづらい場合があった。
【０００５】
そこで本発明は、スピーカの位置をユーザの耳の位置に容易に合わせることができる電話機及び電話機の位置補正方法を提供することを目的とする。
【課題を解決するための手段】
【０００６】
上記目的を達成するために、本発明に係る電話機は、ユーザの耳に当てられる受話器と、受話器に搭載され、受話器の一方の側に向けて音声を出力するスピーカと、を備える電話機であって、受話器の一方の側に向けられたカメラと、スピーカが耳に対面する状態でのユーザの画像である適正位置画像に応じた適正位置情報を記憶する記憶部と、ユーザによる受話器の使用時にカメラで撮影されるユーザの画像である使用時画像に応じた使用時位置情報と、記憶部によって記憶された適正位置情報とを比較する比較手段と、比較手段による比較結果に基づいて、ユーザに対して耳に対する受話器の位置を補正させる旨の指示を行う指示手段と、を備えることを特徴とする。
【０００７】
本発明に係る電話機によれば、記憶部によって、スピーカが耳に対面する状態でのユーザの画像である適正位置画像に応じた適正位置情報が記憶される。また、比較手段によって、ユーザによる受話器の使用時にカメラで撮影されるユーザの画像である使用時画像に応じた使用時位置情報と、記憶部によって記憶された適正位置情報とが比較される。そして、比較手段による比較結果に基づいて、指示手段によって、ユーザに対して耳に対する受話器の位置を補正させる旨の指示が行われる。ここで、比較手段における使用時位置情報と適正位置情報との比較により、受話器の使用時にスピーカの位置がユーザの耳に対面する位置からどの程度ずれているのかを推定することができる。指示手段による位置補正指示は、この比較結果に基づいて行われるため、ユーザに対してスピーカの位置のずれを小さくするような指示が可能となる。よって、ユーザは、指示に従うだけでスピーカの位置を耳の位置に合わすことができる。従って、スピーカの位置をユーザの耳の位置に容易に合わせることができる。
【０００８】
ここで、本発明に係る電話機において、比較手段は、適正位置画像に含まれるユーザの特徴部と、使用時画像に含まれる特徴部との位置の差分を演算し、指示手段は、比較手段によって演算された差分に基づいて、差分が小さくなるように指示を行うことが好ましい。
【０００９】
この発明によれば、比較手段によって、適正位置画像に含まれるユーザの特徴部と、使用時画像に含まれる特徴部との位置の差分が演算される。更に、指示手段によって、この位置の差分が小さくなるように指示が行われる。よって、スピーカの位置をユーザの耳の位置に精度良く合わせることができる。
【００１０】
また、本発明に係る電話機において、比較手段は、ユーザのアゴ、血管、ヒゲ、肌の色のうち少なくとも１つを特徴部として、差分の演算を行うことが好ましい。
【００１１】
ユーザのアゴ、血管、ヒゲ、肌の色は、ユーザ固有の形状を呈する部分であり、且つ、その形状の時間的変化は少ないと考えられる。よって、比較手段によって、これらのうち少なくとも１つを特徴部として差分の演算が行われるため、ユーザごとに精度の良い位置合わせを行うことができる。また、受話器が使用される時間帯に関わらず、いつでも精度の良い位置合わせを行うことができる。
【００１２】
また、本発明に係る電話機において、指示手段は、受話器の位置を補正させる旨を示す位置補正メッセージをスピーカに出力させることにより、指示を行うことが好ましい。
【００１３】
この発明によれば、ユーザは、指示手段によりスピーカから出力させられる位置補正メッセージに従って受話器の位置を補正することができるので、スピーカの位置をユーザの耳の位置に一層容易に合わせることができる。
【００１４】
また、本発明に係る電話機において、ユーザの音声を入力するマイクとスピーカとにおける音声の入出力を検出する音声入出力検出手段を備え、指示手段は、音声入出力検出手段によって音声の非入出力状態が検出された場合に、スピーカに位置補正メッセージを出力させることが好ましい。
【００１５】
この発明によれば、音声入出力検出手段によって音声の非入出力状態が検出された場合に位置補正メッセージが出力されるので、位置補正メッセージが通話の邪魔になることを防止しつつ、スピーカの位置をユーザの耳の位置に容易に合わせることができる。
【００１６】
また、本発明に係る電話機において、受話器を振動させる振動部を備え、指示手段は、受話器の位置を補正させる旨を示す振動パターンで振動部に受話器を振動させることにより、指示を行うことが好ましい。
【００１７】
この発明によれば、受話器の位置を補正させる旨を示す振動パターンにより位置補正指示が行われるので、位置補正指示が通話の邪魔になることを防止できる。よって、通話のタイミングに関わらず位置補正指示を行うことができ、スピーカの位置をユーザの耳の位置に迅速に合わせることができる。
【００１８】
また、本発明に係る電話機において、受話器の加速度を検出し、検出した加速度に基づいてユーザの耳は右耳であるか左耳であるかを検出する左右検出手段を備え、記憶部に記憶される適正位置情報は、スピーカが右耳に対面する状態でのユーザの画像である右側適正位置画像に応じた右側適正位置情報と、スピーカが左耳に対面する状態でのユーザの画像である左側適正位置画像に応じた左側適正位置情報と、を含み、比較手段は、ユーザによる受話器の使用時に左右検出手段によって検出された検出結果に応じた適正位置情報を用いて、使用時位置情報との比較を行うことが好ましい。
【００１９】
この発明によれば、ユーザによる受話器の使用時に左右検出手段によって検出された右耳であるか左耳であるかの検出結果に応じて、右側適正位置情報又は左側適正位置情報を用いた比較が行われる。よって、受話器がユーザのいずれの耳に当てられたとしても、スピーカの位置をユーザの耳の位置に精度良く合わせることができる。
【００２０】
また、本発明に係る電話機において、適正位置画像は、スピーカが耳に対面する状態でカメラによって撮影されたユーザの画像であることが好ましい。
【００２１】
この発明によれば、適正位置画像は、使用時画像を撮影するのと同じカメラによって撮影される。そして、比較手段において、この適正位置画像に応じた適正位置情報と使用時画像に応じた使用時位置情報とが比較されるため、より正確な比較を行うことができる。よって、指示手段による位置補正指示の正確性の向上が図られる。
【００２２】
ところで、本発明は、上記のように電話機の発明として記述できる他に、以下のように電話機の位置補正方法の発明としても記述することができる。これはカテゴリが異なるだけで、実質的に同一の発明であり、同様の作用及び効果を奏する。
【００２３】
すなわち、本発明に係る電話機の位置補正方法は、ユーザの耳に当てられる受話器と、受話器に搭載され、受話器の一方の側に向けて音声を出力するスピーカと、受話器の一方の側に向けられたカメラと、スピーカが耳に対面する状態でのユーザの画像である適正位置画像に応じた適正位置情報を記憶する記憶部と、を備える電話機の位置補正方法であって、ユーザによる受話器の使用時にカメラで撮影されるユーザの画像である使用時画像に応じた使用時位置情報と、記憶部によって記憶された適正位置情報とを比較する比較ステップと、比較ステップにおける比較結果に基づいて、ユーザに対して耳に対する受話器の位置を補正させる旨の指示を行う指示ステップと、を含むことを特徴とする。
【発明の効果】
【００２４】
本発明によれば、スピーカの位置をユーザの耳の位置に容易に合わせることができる。
【図面の簡単な説明】
【００２５】
【図１】本発明の一実施形態に係る携帯電話機の構成を示すブロック図である。
【図２】図１の携帯電話機がユーザによって使用される例の説明図である。
【図３】図１の携帯電話機のハードウェア構成を示す図である。
【図４】適正位置登録の処理手順を示すフローチャートである。
【図５】画像データベースに記憶される適正位置画像の具体例を示す図である。
【図６】画像データベースに記憶される特徴部適正位置データの具体例を示す図である。
【図７】位置合わせの処理手順を示すフローチャートである。
【図８】図７の処理手順の一部を示すフローチャートである。
【図９】図７の処理における画像処理及びずれ演算処理の説明図である。
【図１０】図７の処理における位置補正指示が行われるタイミングの説明図である。
【図１１】振動による位置補正指示の例を示す図である。
【発明を実施するための形態】
【００２６】
以下、本発明の一実施形態に係る電話機及び電話機の位置補正方法について、図面を参照しながら説明する。以下の説明では、携帯電話機及び携帯電話機の位置補正方法を例として説明する。なお、図面の説明において同一要素には同一符号を付し、重複する説明は省略する。
【００２７】
図１は、本実施形態に係る携帯電話機の構成を示すブロック図、図２は、図１の携帯電話機がユーザによって使用される例の説明図である。図１及び図２に示すように、携帯電話機１は、いわゆる折りたたみ式の携帯電話機である。携帯電話機１は、ユーザに向けて音声を出力するスピーカ６が搭載された受話器２と、ユーザの音声を入力するマイク９と、スピーカ６の位置をユーザの耳Ｅの位置に合わせるために、ユーザに対して耳Ｅに対する受話器２の位置を補正させる旨の位置補正指示を行う制御部１０と、を備えている。
【００２８】
図２に示すように、受話器２は、携帯電話機１の操作のためにユーザによって押される入力ボタン３が搭載された扁平型の第１筺体２ａと、第１筺体２ａに対して回動可能に連結され、スピーカ６が搭載された扁平型の第２筺体２ｂとを有している。受話器２は、ユーザが通話を行わない際には、第１筺体２ａと第２筺体２ｂとが重ねられるようにして折りたたまれる。一方、受話器２は、ユーザが通話を行う際には、第２筺体２ｂが第１筺体２ａに対して回動させられて展開され、図２に示す状態となる。ユーザが通話を行う際には、受話器２が展開されたこの状態で、第２筺体２ｂは、ユーザの耳Ｅに当てられる。
【００２９】
受話器２の第２筺体２ｂには、受話器２が展開された状態で、第２筺体２ｂのユーザに対面する側（一方の側；以下、「ユーザ側」ともいう。）に向けて画像を表示するディスプレイ２０が設けられている。なお、図１では、ディスプレイ２０の図示を省略している。
【００３０】
スピーカ６は、第２筺体２ｂのユーザ側の面であって、ディスプレイ２０に対して第２筺体２ｂの先端側に搭載されている。スピーカ６は、ユーザが通話を行う際、第２筺体２ｂのユーザ側に向けて通話相手の音声を出力する。また、スピーカ６は、音声を出力すると同時に、音声の出力中であることを示す音声出力情報を制御部１０に出力する。更に、スピーカ６は、制御部１０により制御されてユーザに対する案内や指示のための各種メッセージを出力する。
【００３１】
更に、第２筺体２ｂのユーザ側に向けられたインカメラ（カメラ）４が、第２筺体２ｂのユーザ側の面であって、ディスプレイ２０に対して第２筺体２ｂの基端側に搭載されている。このインカメラ４としては、例えば従来知られているＣＭＯＳ（Complementary Metal Oxide Semiconductor）カメラを用いることができる。インカメラ４は、ユーザによる入力ボタン３の操作に連動してユーザの顔（より具体的にはアゴの周辺）を側方から撮影する。
【００３２】
特に本実施形態にあっては、インカメラ４は、スピーカ６からの音声案内に従いユーザが入力ボタン３を操作することにより、スピーカ６がユーザの耳Ｅの穴に対面する状態でのユーザの画像である適正位置画像を撮影する。更に、インカメラ４は、ユーザが通話を行う際に、制御部１０により制御されてユーザの顔を側方から撮影する。制御部１０により制御されて撮影されたユーザの顔の画像は、ユーザによる受話器２の使用時におけるユーザの画像である使用時画像に相当する。インカメラ４は、こうしてユーザの顔を撮影すると、適正位置画像及び使用時画像を生成する。インカメラ４は、生成した適正位置画像及び使用時画像を制御部１０に出力する。
【００３３】
また、受話器２の第１筺体２ａには、受話器２の加速度を検出する加速度センサ５と、受話器２を振動させるバイブレータ（振動部）７とが内蔵されている。加速度センサ５は、例えば半導体式の３軸加速度センサであり、受話器２の傾きを検出可能とされている。加速度センサ５は、受話器２の傾きを検出すると、検出した傾きを示す傾き情報を制御部１０に出力する。この傾き情報は、受話器２に当てられたユーザの耳Ｅは右耳であるか左耳であるかの検出のために、制御部１０において用いられる。バイブレータ７は、例えば振動モータである。
【００３４】
マイク９は、例えばエレクトレットコンデンサマイクである。マイク９は、ユーザの音声を入力すると同時に、音声の入力中であることを示す音声入力情報を制御部１０に出力する。
【００３５】
更に、携帯電話機１は、前述した適正位置画像を記憶する画像データベース（記憶部）１８を備えている。この適正位置画像は、スピーカ６がユーザの右耳に対面する状態でのユーザの画像である右側適正位置画像ＰＲと、スピーカ６がユーザの左耳に対面する状態でのユーザの画像である左側適正位置画像ＰＬと、各々１個ずつ含んでいる（図５参照）。また、画像データベース１８には、右側適正位置画像ＰＲ及び左側適正位置画像ＰＬに加え、右側適正位置画像ＰＲ及び左側適正位置画像ＰＬの各々に応じた情報である右側特徴部適正位置データ及び左側特徴部適正位置データが記憶されている。これらの特徴部適正位置データは、適正位置画像ＰＲ，ＰＬに含まれるユーザの特徴部の位置をｘｙ座標として抽出したデータである（図６参照）。このユーザの特徴部としては、具体的には、アゴのライン（輪郭）、肌に透けて見える血管、ヒゲ、肌の色等が挙げられる。これら特徴部は、ユーザ固有の形状を呈する部分であり、且つ、その形状の時間的変化が少ないものである。こうして画像データベース１８に記憶される適正位置画像ＰＲ，ＰＬ及び特徴部適正位置データは、適正位置情報に相当する。
【００３６】
更にまた、携帯電話機１は、ユーザに対する受話器２の位置補正指示を行うための位置補正メッセージ等を記憶するメッセージデータベース１９を備えている。より詳しくは、この位置補正メッセージは、スピーカ６を通じて、受話器２の位置を補正させる旨をユーザに対して示すメッセージである。メッセージデータベース１９には、この位置補正メッセージの他に、ユーザに対して適正位置画像を撮影するように案内するための適正位置登録案内メッセージや、適正位置画像を撮影するタイミングをユーザに計らせるためのイミテーション音が記憶されている。
【００３７】
制御部１０は、スピーカ６から出力される音声出力情報、インカメラ４から出力される画像、加速度センサ５から出力される傾き情報、及びマイク９から出力される音声入力情報等を入力する。そして、制御部１０は、入力したこれらの情報等と、画像データベース１８に記憶された適正位置情報及びメッセージデータベース１９に記憶された位置補正メッセージとを用いて所定の処理を実行することにより、ユーザに対する受話器２の位置補正指示を行う（この位置補正指示に関する一連の処理を総称して「位置合わせ」ともいう）。制御部１０による位置合わせは、１回の通話当たり１回行うこととしてもよいし、１回の通話中において定期的（例えば１分毎）に繰り返し行うこととしてもよい。
【００３８】
また、制御部１０は、位置合わせに先立って、適正位置画像（右側適正位置画像ＰＲ及び左側適正位置画像ＰＬ）及びこれに応じた特徴部適正位置データを画像データベース１８に記憶させる（この適正位置画像の記憶に関する一連の処理を総称して「適正位置登録」ともいう）。制御部１０による適正位置登録は、ユーザが携帯電話機１を最初に利用する際にのみ１回行うこととしてもよいし、携帯電話機１の利用開始後、定期的（例えば１カ月に１回）に行うこととしてもよい。
【００３９】
制御部１０は、音声入出力検出部１１と、画像取得部１２と、左右検出部１３と、画像処理部１４と、ずれ演算部１５と、指示制御部１６とを有している。
【００４０】
音声入出力検出部１１は、位置合わせの際、マイク９とスピーカ６とにおける音声の入出力を検出する音声入出力検出手段である。具体的には、音声入出力検出部１１は、マイク９から出力される音声入力情報及びスピーカ６から出力される音声出力情報を入力する。音声入出力検出部１１は、入力した音声入力情報及び音声出力情報に基づいて、スピーカ６又はマイク９において音声が入出力されている状態である音声の入出力状態を検出する。また、音声入出力検出部１１は、入力した音声入力情報及び音声出力情報に基づいて、スピーカ６及びマイク９において音声が入出力されていない状態である音声の非入出力状態を検出する。音声入出力検出部１１は、音声の入出力状態又は非入出力状態を検出すると、入出力状態又は非入出力状態を検出した旨を示す音声状態情報を指示制御部１６に出力する。また、音声入出力検出部１１は、例えば入力ボタン３の一部である通話ボタンがユーザにより操作されたことを検出して、携帯電話機１による通話の開始を検出する。音声入出力検出部１１は、通話の開始を検出すると、その旨を左右検出部１３に通知すると共に、インカメラ４を制御してインカメラ４に使用時画像を撮影させる。これにより、音声入出力検出部１１による通話の開始の検出は、制御部１０における位置合わせ開始のトリガとなる。
【００４１】
画像取得部１２は、インカメラ４から出力される画像を入力する。すなわち、画像取得部１２は、適正位置登録の際、インカメラ４から出力される適正位置画像を入力する。また、画像取得部１２は、適正位置画像の入力と共に、インカメラ４によって撮影される適正位置画像は右側適正位置画像ＰＲであるか左側適正位置画像ＰＬであるかを示す適正位置画像左右情報を指示制御部１６から取得する。画像取得部１２は、適正位置画像を入力すると、入力した適正位置画像に画像処理を施すことにより、適正位置画像に含まれるユーザの特徴部（例えばアゴのライン、血管、ヒゲ、肌の色等）を抽出し、抽出した特徴部の画像中における位置をｘｙ座標として抽出する。画像取得部１２は、特徴部の画像中における位置を示すｘｙ座標を含む特徴部適正位置データを生成する。そして、画像取得部１２は、適正位置画像に適正位置画像左右情報及び特徴部適正位置データを添付して画像データベース１８に記憶させる。なお、画像取得部１２における特徴部の抽出や位置の座標等への変換では、従来のパターン認識の技術を利用することができる。
【００４２】
一方、画像取得部１２は、位置合わせの際、インカメラ４から出力される使用時画像を入力する。画像取得部１２は、使用時画像を入力すると、入力した使用時画像を左右検出部１３に出力する。
【００４３】
左右検出部１３は、位置合わせの際、ユーザの耳Ｅは右耳であるか左耳であるかを受話器２の加速度に基づいて検出する。具体的には、左右検出部１３は、音声入出力検出部１１から通話の開始が検出された旨の通知を取得すると、加速度センサ５から出力される傾き情報を入力する。左右検出部１３は、入力した傾き情報に示される傾きに基づいて、受話器２に当てられたユーザの耳Ｅは右耳であるか左耳であるかを検出する。すなわち、左右検出部１３は、加速度センサ５と共に左右検出手段を構成している。なお、加速度センサ５及び左右検出部１３による左右の検出は、従来の方法と同様である。
【００４４】
更に、左右検出部１３は、受話器２に当てられたユーザの耳Ｅは右耳であるか左耳であるかを検出すると、検出結果に応じた適正位置画像を画像データベース１８から抽出する。より具体的には、左右検出部１３は、受話器２に当てられたユーザの耳Ｅは右耳であることを検出した場合、画像データベース１８に記憶された適正位置画像に添付される適正位置画像左右情報を参照することにより、画像データベース１８から右側適正位置画像ＰＲを抽出する。また、左右検出部１３は、受話器２に当てられたユーザの耳Ｅは左耳であることを検出した場合、画像データベース１８に記憶された適正位置画像に添付される適正位置画像左右情報を参照することにより、画像データベース１８から左側適正位置画像ＰＬを抽出する。
【００４５】
更にまた、左右検出部１３は、画像取得部１２から出力された使用時画像を取得する。左右検出部１３は、画像取得部１２から出力された使用時画像を取得すると、取得した使用時画像と、画像データベース１８から抽出した適正位置画像とを画像処理部１４に出力する。
【００４６】
画像処理部１４は、位置合わせの際、左右検出部１３から出力される使用時画像及び適正位置画像を取得する。画像処理部１４は、取得した使用時画像に画像処理を施すことにより、使用時画像に含まれるユーザの特徴部（例えばアゴのライン、血管、ヒゲ、肌の色等）を抽出し、抽出した特徴部の画像中における位置をｘｙ座標として抽出する。画像処理部１４は、特徴部の画像中における位置を示すｘｙ座標を含む特徴部使用時位置データを生成する。そして、画像処理部１４は、使用時画像に特徴部使用時位置データを添付して、適正位置画像と共にずれ演算部１５に出力する。ここで出力される使用時画像及び特徴部使用時位置データは、使用時位置情報に相当する。なお、画像処理部１４における特徴部の抽出や位置の座標等への変換では、従来のパターン認識の技術を利用することができる。
【００４７】
ずれ演算部１５は、位置合わせの際、ずれ演算部１５から出力された使用時位置情報と画像データベース１８に記憶された適正位置情報とを比較する比較手段である。ずれ演算部１５は、画像処理部１４から出力される使用時画像及び適正位置画像を取得する。ずれ演算部１５は、取得した使用時画像及び適正位置画像を重ね合わせる画像処理を行う。そして、ずれ演算部１５は、適正位置画像に含まれる所定の特徴部と、使用時画像に含まれる所定の特徴部との位置の差分（以下、「ずれ」ともいう）を演算する。具体的には、ずれ演算部１５は、使用時画像及び適正位置画像を重ね合わせた画像において、適正位置画像に含まれたユーザの所定の特徴部と、使用時画像に含まれた、その所定の特徴部に対応する特徴部とを検出する。ここで、対応する特徴部は、例えばその形状や位置に基づいて検出される。そして、適正位置画像に含まれた特徴部と、使用時画像に含まれた特徴部との対応する点の座標の差（ｘ方向、ｙ方向）を位置の差分として演算する。ずれ演算部１５は、位置の差分を演算すると、その位置の差分を示す位置差分情報を生成する。
【００４８】
このように、適正位置画像と使用時画像との比較によりずれが演算される場合、適正位置画像が適正位置情報（右側適正位置情報又は左側適正位置情報）に相当し、使用時画像が使用時位置情報に相当する。
【００４９】
なお、上記した画像処理部１４及びずれ演算部１５によるずれの演算では、まず適正位置画像と使用時画像とにおいて特徴部を抽出し、対応する特徴部同士の位置の差分を演算しているが、特徴部を抽出することなく、適正位置画像と使用時画像との画像のずれを検出することによりずれを演算してもよい。この場合、２つの画像のずれを検出する従来の画像処理技術を用いることができる。
【００５０】
また、ここで、ずれ演算部１５は、使用時画像及び適正位置画像を直接用いずに、使用時画像及び適正位置画像の各々に添付された特徴部適正位置データと特徴部使用時位置データとを比較することにより、適正位置画像に含まれた特徴部と、使用時画像に含まれた特徴部との対応する点の座標の差（ｘ方向、ｙ方向）を演算してもよい。この場合、画像データベース１８には、適正位置画像は記憶されずに、右側特徴部適正位置データ及び左側特徴部適正位置データのみが記憶されていてもよい。また、この場合、右側特徴部適正位置データ及び左側特徴部適正位置データが適正位置情報（右側適正位置情報及び左側適正位置情報）に相当し、特徴部使用時位置データが使用時位置情報に相当する。
【００５１】
また、ずれ演算部１５は、演算した位置の差分に基づいて、使用時画像が適正位置画像に一致しているか否かを判断する。具体的には、ずれ演算部１５は、予め記憶した所定の差分閾値と位置の差分との比較により一致しているか否かの判断を行う。ずれ演算部１５は、位置の差分が所定の差分閾値以上である場合、生成した位置差分情報を指示制御部１６における位置補正指示のために指示制御部１６に出力する。また、ずれ演算部１５は、位置の差分が差分閾値未満である場合、指示制御部１６における位置補正指示は不要である旨を示す指示不要情報を生成し、生成した指示不要情報を指示制御部１６に出力する。
【００５２】
指示制御部１６は、位置合わせの際、ずれ演算部１５による比較結果に基づいて、ユーザに対して耳Ｅに対する受話器２の位置を補正させる旨の位置補正指示を行う指示手段である。具体的には、指示制御部１６は、ずれ演算部１５から出力される位置差分情報又は指示不要情報を取得する。指示制御部１６は、ずれ演算部１５から位置差分情報を取得すると、取得した位置差分情報に示される位置の差分に基づいて、その位置の差分が小さくなるようにユーザに対する位置補正指示を行う。より詳しくは、指示制御部１６は、ずれ演算部１５で演算される位置の差分と、この位置の差分を小さくするような位置補正方向及び位置補正距離との対応関係（例えば換算式等）を記憶している。指示制御部１６は、この対応関係を用いることにより、取得した位置差分情報に示される位置の差分に応じて、その位置の差分を小さくするような位置補正方向及び位置補正距離（例えば「右（又は左）にａｍｍ、上（又は下）にｂｍｍ」等）を演算する。ここでの位置補正方向は、携帯電話機１（インカメラ４）が基準とされる。なお、指示制御部１６は、位置補正距離は演算せずに位置補正方向のみを演算してもよい。
【００５３】
また、指示制御部１６は、音声入出力検出部１１から出力される音声状態情報を取得する。更に、指示制御部１６は、取得した音声状態情報に音声の非入出力状態が一定時間連続して示される場合に、メッセージデータベース１９から位置補正メッセージを取得する。指示制御部１６は、位置補正メッセージを取得すると、取得した位置補正メッセージに、演算した位置補正方向及び位置補正距離を含める。そして、指示制御部１６は、スピーカ６を制御してスピーカ６に位置補正方向及び位置補正距離を含む位置補正メッセージを出力させることにより、ユーザに対する位置補正指示を行う。なお、指示制御部１６は、ずれ演算部１５から指示不要情報を取得すると、位置合わせを終了する。なお、指示制御部１６は、位置補正距離は演算せずに位置補正方向のみを演算した場合、位置補正方向のみを位置補正メッセージに含める。
【００５４】
また、指示制御部１６には、１回の通話中に位置合わせを繰り返し実行するか否かを示す繰り返し情報が記憶されている。この繰り返し情報は、例えば「１回の通話当たり１回行う」旨や、「１回の通話中において定期的（例えば１分毎）に繰り返し行う」旨を示す情報である。指示制御部１６は、位置合わせの際、繰り返し情報に基づいて、受話器２の位置合わせを定期的に実行するか否かを判断する。
【００５５】
更に、指示制御部１６には、適正位置登録を定期的に行う頻度を示す位置登録頻度情報が記憶されている。この位置登録頻度情報は、例えば「ユーザが携帯電話機１を最初に利用する際にのみ１回行う」旨や、「携帯電話機１の利用開始後、定期的（例えば１カ月に１回）に行う」旨を示す情報である。指示制御部１６は、位置登録頻度情報に基づいて、適正位置登録を実行する。
【００５６】
また、指示制御部１６は、適正位置登録の際、ユーザに対する適正位置画像の登録案内を行う。具体的には、指示制御部１６は、メッセージデータベース１９から適正位置登録案内メッセージを取得する。指示制御部１６は、適正位置登録案内メッセージを取得すると、スピーカ６を制御してスピーカ６に適正位置登録案内メッセージを出力させる。この適正位置登録案内メッセージは、ユーザに対して右側適正位置画像ＰＲを撮影するように案内する右側用メッセージと、ユーザに対して左側適正位置画像ＰＬを撮影するように案内する左側用メッセージとが含まれる。また、指示制御部１６は、スピーカ６に適正位置登録案内メッセージを出力させる。そして、指示制御部１６は、スピーカ６に出力させた適正位置登録案内メッセージが右側用メッセージであるか左側用メッセージであるかに応じて、インカメラ４によって撮影される適正位置画像が右側適正位置画像ＰＲであるか左側適正位置画像ＰＬであるかを示す適正位置画像左右情報を生成する。指示制御部１６は、生成した適正位置画像左右情報を画像取得部１２に出力する。
【００５７】
更に、指示制御部１６は、適正位置登録の際、ユーザに対して適正位置画像を撮影するタイミングを計らせる。具体的には、指示制御部１６は、メッセージデータベース１９から、適正位置画像を撮影するタイミングをユーザに計らせるためのイミテーション音を取得する。指示制御部１６は、イミテーション音を取得すると、スピーカ６を制御してスピーカ６にイミテーション音を出力させる。
【００５８】
図３は、携帯電話機１のハードウェア構成を示す図である。図３に示すように、携帯電話機１は、ＣＰＵ（Central Processing Unit）１０１、主記憶装置であるＲＡＭ（Random Access Memory）１０２、及びＲＯＭ（ReadOnly Memory）１０３、入力ボタン３を含む操作部１０４、無線通信モジュール１０５、ハードディスク等の補助記憶装置１０６等のハードウェアを備えるコンピュータを備えて構成される。これらの構成要素が動作することにより、携帯電話機１の上述した機能が発揮される。
【００５９】
続いて、携帯電話機１により実行される処理（携帯電話機１の位置補正方法）について説明する。携帯電話機１による処理は、図４及び図７に示すフローチャートに従い主に制御部１０によって実行される。図４は、適正位置登録の処理手順を示すフローチャートである。また、図７は、位置合わせの処理手順を示すフローチャートである。
【００６０】
まず、図４を参照しながら適正位置登録について説明する。ここでは、指示制御部１６に記憶された位置登録頻度情報に基づいて適正位置登録が実行される。以下の説明では、位置登録頻度情報に「ユーザが携帯電話機１を最初に利用する際にのみ１回行う」旨が示される場合について説明する。この適正位置登録は、入力ボタン３の一部である電源ボタンがユーザにより押された際、若しくは、ユーザにより適正位置登録を行う旨の操作が行われた際に開始する。まず、指示制御部１６によって、画像データベース１８に適正位置画像が記憶されているか否かが検出される。画像データベース１８に適正位置画像が既に記憶されている場合、適正位置登録は実行されない。但し、改めて適正位置登録が実行されてもよい。
【００６１】
画像データベース１８に適正位置画像が記憶されていない場合、図４に示すように、指示制御部１６によって、ユーザに対する適正位置画像の登録案内が行われる（Ｓ０１）。ここでは、スピーカ６からユーザに向けて適正位置登録案内メッセージが出力される。適正位置登録案内メッセージとしては、例えば「これから適正位置登録を開始します。受話器を右耳（又は左耳）に当て、イミテーション音が最もよく聞こえる位置で入力ボタンを押してインカメラで撮影してください」が該当する。また、指示制御部１６によって、適正位置画像左右情報が画像取得部１２に出力される。
【００６２】
次に、指示制御部１６によって、イミテーション音が出力される（Ｓ０２）。ここでは、スピーカ６からユーザに向けてイミテーション音が出力される。イミテーション音としては、例えば「ピーピーピー…」という音が該当する。このイミテーション音の出力は、ユーザに対して適正位置画像を撮影するタイミングを計らせるために行われる。続いて、ユーザは、イミテーション音が最もよく聞こえる位置で入力ボタン３を押す。この入力ボタン３の操作により、インカメラ４によって、適正位置画像の撮影が行われる（Ｓ０３）。そして、インカメラ４によって適正位置画像が生成され、生成された適正位置画像が画像取得部１２に出力される。
【００６３】
次に、画像取得部１２によって、画像データベース１８に適正位置画像が記憶させられる（Ｓ０４）。ここでは、画像取得部１２によって、適正位置画像に画像処理が施されることにより、適正位置画像に含まれるユーザの特徴部が抽出され、特徴部適正位置データが生成される。そして、適正位置画像に適正位置画像左右情報及び特徴部適正位置データが添付され、画像データベース１８に記憶させられる。
【００６４】
以上の一連の処理を右側（右耳）と左側（左耳）とのそれぞれについて実行することによって、適正位置登録が行われる。図５は、画像データベース１８に記憶される適正位置画像の具体例を示す図である。図５に示すように、画像データベース１８は、スピーカ６がユーザの右耳に対面する状態でのユーザの画像である右側適正位置画像ＰＲと、スピーカ６がユーザの左耳に対面する状態でのユーザの画像である左側適正位置画像ＰＬとを記憶している。右側適正位置画像ＰＲでは、ユーザの特徴部として、アゴのラインＡＲ、血管ＢＲ、及びヒゲＣＲが抽出されている。また、左側適正位置画像ＰＬでは、ユーザの特徴部として、アゴのラインＡＬ、血管ＢＬ、及びヒゲＣＬが抽出されている。
【００６５】
図６は、画像データベース１８に記憶される特徴部適正位置データの具体例を示す図である。図６に示すように、画像データベース１８には、アゴのライン、血管、及びヒゲに対応する画像内の座標が記憶されている。更に、図６に示すように、肌の色（くすんでいる箇所等）を特徴部として認識し、肌の色が変わっている箇所の座標が記憶されるようにしてもよい。この適正位置データは、右側適正位置画像ＰＲ及び左側適正位置画像ＰＬの各々について記憶される。
【００６６】
続いて、図７を参照しながら位置合わせについて説明する。まず、音声入出力検出部１１によって、通話ボタンの操作が検出されて、携帯電話機１による通話の開始が検出される（Ｓ１１）。通話の開始が検出されると、その旨が左右検出部１３に通知される。次に、左右検出部１３によって、受話器２に当てられたユーザの耳Ｅは右耳であるか左耳であるかが検出される（Ｓ１２）。また、ユーザの耳Ｅは右耳であるか左耳であるかが検出されると共に、左右検出部１３によって、検出結果に応じた適正位置画像（右側適正位置画像ＰＲ又は左側適正位置画像ＰＬ）が画像データベース１８から抽出される。以下の説明では、ユーザの耳Ｅが右耳である場合について説明する。
【００６７】
次に、音声入出力検出部１１によって、インカメラ４が制御されて使用時画像が撮影させられる（Ｓ１３）。そして、インカメラ４によって、使用時画像が生成され、生成された使用時画像が画像取得部１２を介して左右検出部１３に出力される。そして、左右検出部１３によって、使用時画像と適正位置画像とが画像処理部１４に出力される。次に、画像処理部１４によって、使用時画像に画像処理が施されることにより、使用時画像に含まれるユーザの特徴部が抽出され、特徴部使用時位置データが生成される（Ｓ１４）。そして、画像処理部１４によって、使用時画像に特徴部使用時位置データが添付され、適正位置画像と共にずれ演算部１５に出力される。
【００６８】
図９（ａ）は、ステップＳ１４において画像処理された使用時画像Ｐ２を示す図である。図９（ａ）に示すように、使用時画像Ｐ２では、ユーザの特徴部として、アゴのラインＡ２、血管Ｂ２、及びヒゲＣ２が抽出されている。図９（ａ）に示す使用時画像Ｐ２は、受話器２がユーザの右耳に当てられた場合の使用時画像である。
【００６９】
次に、ずれ演算部１５によって、適正位置画像に含まれる所定の特徴部と、使用時画像に含まれる所定の特徴部との位置の差分（ずれ）が演算される（Ｓ１５；比較ステップ）。ここでの演算処理は、図８に示すフローチャートに従って、ずれ演算部１５によって実行される。まず、使用時画像及び適正位置画像が画像処理により重ね合わされる（Ｓ５１）。次に、適正位置画像に含まれたユーザの所定の特徴部と、使用時画像に含まれた、その所定の特徴部に対応する特徴部とが検出される（Ｓ５２）。そして、適正位置画像に含まれる所定の特徴部と、使用時画像に含まれる所定の特徴部との位置の差分（ずれ）が演算される（Ｓ５３）。そして、位置の差分が演算されると、ずれ演算部１５によって、その位置の差分を示す位置差分情報が生成される。
【００７０】
図９（ｂ）は、ステップＳ１５（Ｓ５１〜Ｓ５３）におけるずれ演算処理の説明図である。図９（ｂ）に示すように、ステップＳ５１で重ね合わされた画像ＰＳでは、図９（ａ）に示した使用時画像Ｐ２と図５に示した右側適正位置画像ＰＲとが所定のずれをもっている。ここで、破線で示す右側適正位置画像ＰＲのアゴのラインＡＲ、血管ＢＲ、及びヒゲＣＲは、実線で示す使用時画像Ｐ２のアゴのラインＡ２、血管Ｂ２、及びヒゲＣ２に各々対応している。ステップＳ５３のずれの演算では、対応する特徴部同士の座標のｘ方向及びｙ方向における差が演算される。図９（ｂ）に示す例では、血管ＢＲの上側の端点ｐには、血管Ｂ２の上側の端点ｑが対応している。そして、血管ＢＲの上側の端点ｐの座標が（ｘ１１，ｙ１１）であるのに対し、血管Ｂ２の上側の端点ｑの座標は（ｘ１２，ｙ１２）となっている。よって、次式によってずれが演算される。
（Ｘ方向のずれ）＝ｘ１２−ｘ１１
（Ｙ方向のずれ）＝ｙ１２−ｙ１１
【００７１】
このように、ずれ演算部１５は、ユーザのアゴ、血管、ヒゲのうち少なくとも１つを特徴部として、ずれの演算を行う。また、ずれ演算部１５は、肌の色（くすんでいる箇所等）を特徴部としてずれの演算を行ってもよい。
【００７２】
なお、ずれの演算は、上記式のように対応する特定点同士の座標の差として演算されてもよいし、対応する複数の点で座標の差が異なる場合には、複数の点の座標の差を平均することにより演算されてもよい。また、使用時画像Ｐ２及び適正位置画像ＰＲを直接用いずにこれらに添付された特徴部適正位置データ（図６参照）と特徴部使用時位置データとを比較することにより、適正位置画像に含まれた特徴部と、使用時画像に含まれた特徴部との対応する点の座標の差（ｘ方向、ｙ方向）を演算してもよい。
【００７３】
ステップＳ１５でずれが演算されると、ずれ演算部１５によって、使用時画像が適正位置画像に一致しているか否かが判断される（図７のＳ１６）。ここでは、所定の差分閾値と位置の差分との比較により判断が行われる。位置の差分が差分閾値未満である場合、使用時画像は適正位置画像に一致していると判断される。そして、ずれ演算部１５によって、指示制御部１６における位置補正指示は不要である旨を示す指示不要情報が生成され、生成された指示不要情報が指示制御部１６に出力される。これにより、位置合わせは終了する。また、位置の差分が差分閾値以上である場合、使用時画像は適正位置画像に一致していないと判断される。そして、位置差分情報が指示制御部１６に出力され、指示制御部１６によって、位置差分情報に示される位置の差分が小さくなるように、ユーザに対する位置補正指示が行われる（Ｓ１７；指示ステップ）。
【００７４】
ここで、ステップＳ１７の位置補正指示では、指示制御部１６によって、ステップＳ１５で演算されたずれに応じて、ずれを小さくするような位置補正方向及び位置補正距離が演算される。図９（ｂ）に示した例では、血管Ｂ２の上側の端点ｑは、血管ＢＲの上側の端点ｐに対して、例えば「Ｘ方向では右方向に３ｍｍ、Ｙ方向では下方向に２ｍｍ」ずれていると演算される。この場合、受話器２のスピーカ６の位置は、ユーザの右耳に対面する方向（インカメラ４側）から見て、ユーザの右耳に対してＸ方向で左方向に３ｍｍ、Ｙ方向で上方向に２ｍｍずれていることが推定される。言い換えれば、受話器２は、ユーザの右耳に対面する方向から見て、適正位置よりもやや左上に位置している。そのため、指示制御部１６によって、「少し右下」或いは「右に３ｍｍ、下に２ｍｍ」が位置補正方向及び位置補正距離として演算される。
【００７５】
また、指示制御部１６によって、音声入出力検出部１１から出力される音声状態情報が取得される。更に、音声の非入出力状態が一定時間連続して示される場合に、指示制御部１６によって、位置補正メッセージが取得され、演算した位置補正方向及び位置補正距離が含められる。そして、スピーカ６から位置補正メッセージが出力される。図１０は、ステップＳ１７における位置補正指示が行われるタイミングの説明図である。図１０では、携帯電話機１のユーザであるＡさんと、通話相手のＢさんとの通話の流れを時間軸上に示している。図１０に示すように、Ｂさんによる音声が２度目に出力された後、一定時間Ｔ１連続して音声の入出力はなされていない。よって、一定時間Ｔ１が経過した時点である時刻ｔ１においてスピーカ６から位置補正メッセージが出力される。例えば、図９（ｂ）に示した例では、出力される位置補正メッセージとしては、「もう少し右下です」や「右に３ｍｍ、下に２ｍｍです」が該当する。
【００７６】
このように、本実施形態の携帯電話機１では、音声入出力検出部１１によって音声の非入出力状態が検出された場合に、スピーカ６に位置補正メッセージを出力させる。このような制御により、位置補正メッセージが通話の邪魔になることが防止される。また、携帯電話機１では、左右検出部１３によって検出された検出結果（右耳又は左耳）に応じた適正位置画像に基づいて位置補正指示がなされる。よって、ずれの演算精度が高まり、スピーカの位置をユーザの耳の位置に精度良く合わせることができる。
【００７７】
ステップＳ１７に続いて、指示制御部１６によって、繰り返し情報に基づいて受話器２の位置合わせは定期的に実行されるか否かが判断される（Ｓ１８）。繰り返し情報に「１回の通話中において１分毎に繰り返し行う」旨が示されている場合、指示制御部１６によって、位置合わせは定期的に実行されると判断され、この判断が行われた時刻から１分後にステップＳ１２の左右検出処理に戻る。また、繰り返し情報に「１回の通話当たり１回行う」旨が示されている場合、指示制御部１６によって、位置合わせは定期的に実行されないと判断され、図７に示す処理は終了する。
【００７８】
以上説明した本実施形態の携帯電話機１によれば、画像データベース１８によって、スピーカ６が耳Ｅに対面する状態でのユーザの画像である適正位置画像（図５に示す右側適正位置画像ＰＲ又は左側適正位置画像ＰＬ）が記憶される。また、ずれ演算部１５によって、ユーザによる受話器２の使用時にインカメラ４によって撮影されるユーザの画像である使用時画像Ｐ２と、画像データベース１８によって記憶された適正位置画像ＰＲとが比較される（図９参照）。そして、ずれ演算部１５による比較結果に基づいて、指示制御部１６によって、ユーザに対して耳Ｅに対する受話器２の位置を補正させる旨の指示が行われる。ここで、ずれ演算部１５における使用時画像Ｐ２と適正位置画像ＰＲとの比較により、受話器２の使用時にスピーカ６の位置がユーザの耳Ｅに対面する位置からどの程度ずれているのかを推定することができる。指示制御部１６による位置補正指示は、この比較結果に基づいて行われるため、ユーザに対してスピーカ６の位置のずれを小さくするような指示が可能となる。よって、ユーザは、指示に従うだけでスピーカ６の位置を耳Ｅの位置に合わすことができる。従って、スピーカ６の位置をスピーカ６から出力される音声がよく聞こえるようなユーザの耳Ｅの位置に容易に合わせることができる。
【００７９】
特許文献１に記載されるような従来の技術では、スピーカの位置をユーザの耳の位置に合わせるため、第１筺体と第２筺体とを連結する特別なヒンジ部等の物理的構成を必要としていた。しかしながら、本実施形態の携帯電話機１によれば、そのような特別な物理的構成を要することなく、スピーカ６の位置をユーザの耳Ｅの位置に容易に合わせることができる。
【００８０】
また、ずれ演算部１５によって、適正位置画像ＰＲに含まれるユーザの特徴部ＡＲ，ＢＲ，ＣＲの画像と、使用時画像Ｐ２に含まれる特徴部Ａ２，Ｂ２，Ｃ２の画像との位置の差分が演算される。更に、指示制御部１６によって、この位置の差分が小さくなるように指示が行われるため、スピーカ６の位置をユーザの耳Ｅの位置に精度良く合わせることができる。
【００８１】
また、ユーザのアゴ、血管、ヒゲ、肌の色は、ユーザ固有の形状を呈する部分であり、且つ、その形状の時間的変化は少ないと考えられる。よって、ずれ演算部１５によって、これらのうち少なくとも１つを特徴部として差分の演算が行われるため、ユーザごとに精度の良い位置合わせを行うことができる。また、受話器２が使用される時間帯に関わらず、いつでも精度の良い位置合わせを行うことができる。
【００８２】
また、ユーザは、指示制御部１６によりスピーカ６から出力させられる位置補正メッセージに従って受話器２の位置を補正することができるので、スピーカ６の位置をユーザの耳Ｅの位置に一層容易に合わせることができる。
【００８３】
また、音声入出力検出部１１によって音声の非入出力状態が検出された場合に位置補正メッセージが出力されるので、位置補正メッセージが通話の邪魔になることを防止しつつ、スピーカ６の位置をユーザの耳Ｅの位置に容易に合わせることができる。
【００８４】
また、ユーザによる受話器２の使用時に左右検出部１３によって検出された右耳であるか左耳であるかの検出結果に応じて、右側適正位置画像ＰＲ又は左側適正位置画像ＰＬに基づく位置補正指示が行われる。よって、スピーカ６の位置をユーザの耳Ｅの位置に一層精度良く合わせることができる。
【００８５】
更にまた、適正位置画像ＰＲは、使用時画像Ｐ２を撮影するのと同じインカメラ４によって撮影されるため、ずれ演算部１５において、使用時画像Ｐ２と適正位置画像ＰＲとの比較をより正確に行うことができる。よって、指示制御部１６による位置補正指示の正確性の向上が図られる。
【００８６】
以上、本発明の好適な実施形態について説明したが、本発明は上記実施形態に限られるものではない。
【００８７】
例えば、上記実施形態では、指示制御部１６による位置補正指示がスピーカ６を通じて行われる場合について示したが、図１１に示すように、受話器２の位置を補正させる旨を示す振動パターンでバイブレータ７に受話器２を振動させることにより、位置補正指示を行ってもよい。この場合、バイブレータ７は、制御部１０により制御されて所定の振動パターンで受話器２を振動させる。この振動による位置補正指示では、図１１（ａ）に示すように、ユーザ（Ａさん）と通話相手（Ｂさん）との通話の流れに関わらず、差分閾値以上の位置の差分が検出された時刻ｔ２で、位置補正指示が行われる。また、図１１（ｂ）に示すように、位置補正指示により示す方向は、各振動パターンにおける振動の長さや間隔を変えることによりユーザに伝達することができる。例えば、図１１（ｂ）に示す例において受話器２の位置を「右下」に補正させたい場合は、パターンＢとパターンＤとの組み合わせによる振動パターンで位置補正指示が行われる。なお、ここで用いられる振動パターンは、メッセージデータベース１９に記憶される。
【００８８】
このような構成によれば、受話器２の位置を補正させる旨を示す振動パターンでバイブレータ７が受話器２を振動させることにより位置補正指示が行われるので、位置補正指示が通話の邪魔になることを防止できる。よって、通話のタイミングに関わらず位置補正指示を行うことができ、スピーカ６の位置をユーザの耳Ｅの位置に迅速に合わせることができる。
【００８９】
また、画像データベース１８に記憶される適正位置画像は、インカメラ４によって撮影される場合に限られず、インカメラ４以外の他の手段によって生成された画像でもよい。また、上記実施形態では、インカメラ４が第２筺体２ｂに搭載される場合について説明したが、インカメラ４は、第１筺体２ａに搭載されてもよい。また、本発明は、折りたたみ式の形態電話機に限られず、ストレート式の携帯電話機にも適用可能である。更にまた、本発明は、携帯電話機に限られず、固定電話の受話器やその子機等に適用することも可能である。
【符号の説明】
【００９０】
１…携帯電話機（電話機）、２…受話器、４…インカメラ（カメラ）、５…加速度センサ（左右検出手段）、６…スピーカ、７…バイブレータ（振動部）、９…マイク、１１…音声入出力検出部（音声入出力検出手段）、１３…左右検出部（左右検出手段）、１５…ずれ演算部（比較手段）、１６…指示制御部（指示手段）、１８…画像データベース（記憶部）、Ｅ…耳、Ｐ２…使用時画像、ＰＬ…左側適正位置画像、ＰＲ…右側適正位置画像。
【図１】
2011205256.tif 000003
【図２】
2011205256.tif 000004
【図３】
2011205256.tif 000005
【図４】
2011205256.tif 000006
【図５】
2011205256.tif 000007
【図６】
2011205256.tif 000008
【図７】
2011205256.tif 000009
【図８】
2011205256.tif 000010
【図９】
2011205256.tif 000011
【図１０】
2011205256.tif 000012
【図１１】
2011205256.tif 000013